(57)【要約】【課題】既設の基礎をいじることなく、仮設補強も必要でなく、作業性が良く、倒れ補強の効果も素晴らしい送電線用鉄塔を提供すること。【解決手段】鉄塔１０の脚２１を支持するため、脚２１の先端位置の四角形Ｓの頂点位置にそれぞれ設けられた４個の基礎３０を有する送電線用鉄塔において、四角形Ｓの外側位置に補助基礎４０，５０を設け、補助基礎４０，５０に鉄塔１０を補強する補助脚６０，７０を支持させたことを特徴とする送電線用鉄塔としている。【選択図】  図１
2004300872.tif 000002
【特許請求の範囲】
【請求項１】
鉄塔の脚を支持するため、該脚先端位置の四角形の頂点位置にそれぞれ設けられた４個の基礎を有する送電線用鉄塔において、
前記四角形外側位置に補助基礎を設け、該補助基礎に前記鉄塔を補強する補助脚を支持させたことを特徴とする送電線用鉄塔。
【請求項２】
請求項１において、前記補助基礎は、前記四角形の対角線上で前記基礎の外側位置にそれぞれ設けられていることを特徴とする送電線用鉄塔。
【請求項３】
請求項１において、前記補助基礎は、前記四角形の少なくとも一組の対向する辺の外側位置にそれぞれ設けられていることを特徴とする送電線用鉄塔。
【請求項４】
請求項３において、前記補助基礎は、送電線の線路直交方向に対向する前記辺の外側で前記線路直交方向に沿った線上に設けられていることを特徴とする送電線用鉄塔。
【発明の詳細な説明】
【０００１】
【発明の属する技術分野】
この発明は、鉄塔の嵩上げなどによって補強を必要とし、補強を施した送電線用鉄塔に関するものである。
【０００２】
【従来の技術】
従来、設置場所の変化、例えば地盤の軟弱化、樹木の生長、人家建設、道路の拡張等で新規の鉄塔を建設し、支障とならない既設鉄塔に接続し、支障部分は撤去する鉄塔の建て替えで対処することもあるが、鉄塔の補強で対処することもある（例えば、非特許文献１参照）。
【０００３】
例えば、鉄塔を嵩上げすることにより基礎部分を補強しなければならなくなったとき、
これまでは、図４，５のような工法が採用されていた。図４は、繋ぎ梁補強といわれるもので、４カ所ある既設の逆Ｔ字形の基礎１のそれぞれの上に十分大きな面積の押さえ部２と押さえ部２を結ぶ梁部３とで四角の枠状にコンクリートを打って基礎１を連結して補強していた。また、図５は、マット補強といわれるもので、４カ所の基礎１を内側に納め、連結しうるマット４で覆うように、四角のマット状にコンクリートを打って基礎を連結して補強していた。
【０００４】
【非特許文献１】
鉄塔工事施工基準解説書    社団法人  送電線建設技術研究会
技術委員会  ＴＬＳー２  （１９９１）
【０００５】
【発明が解決しようとする課題】
ところで、このような工法は、既設の基礎１を掘り出してコンクリートを打設するため、鉄塔に倒れないように何らかの仮設補強を加えなければならないとか、基礎の周囲を綺麗に出さなければならない上、鉄塔の中側での作業もでてくる等作業工数も掛かっていた。さらには、これら工法では、高価なコンクリートを大量に使用しなければならないという問題もあった。
【０００６】
そこで、この発明は、既設の基礎をいじることなく、仮設補強も必要でなく、作業性が良く、倒れ補強の効果も素晴らしい送電線用鉄塔を提供することを目的とする。
【０００７】
【課題を解決するための手段】
この目的を達成するため、請求項１の発明は、鉄塔の脚を支持するため、該脚先端位置の四角形の頂点位置にそれぞれ設けられた４個の基礎を有する送電線用鉄塔において、
前記四角形外側位置に補助基礎を設け、該補助基礎に前記鉄塔を補強する補助脚を支持させたことを特徴とする送電線用鉄塔としているので、前記四角形外側に補助基礎を設け、そこから補助脚で鉄塔を支えることになるため、既設基礎をいじることなく、鉄塔の脚に邪魔されることなく工事ができ、しかも仮設補強をすることなく、作業性の良い、倒れ補強の効果も素晴らしい送電線用鉄塔を提供することができる。
【０００８】
また、請求項２の発明は、請求項１において、前記補助基礎を前記四角形の対角線上で前記基礎の外側位置にそれぞれ設けることを特徴とする送電線用鉄塔としているため、請求項１の効用に加え、より一層効果的に鉄塔を支持することができる。
【０００９】
また、請求項３の発明は、請求項１において、前記補助基礎を、前記四角形の少なくとも一組の対向する辺の外側位置にそれぞれ設けたことを特徴とする送電線用鉄塔としているため、請求項１の効用に加え、補助基礎をそれぞれ四角形外の地形や既設鉄塔用地の権利制限を考慮して適宜位置に配置できる。
【００１０】
さらに、請求項４の発明は、請求項３において、前記補助基礎を、送電線の線路直交方向に対向する前記辺の外側で前記線路直交方向に沿った線上に設けたことを特徴とする送電線用鉄塔としているため、請求項３の効用に加え、送電線に風などの力を受けて踏ん張らなければならない送電線の線路と直交方向を効果的に補強することができる。
【００１１】
【発明の実施の形態】
以下、この発明の実施の形態を示す図面に基づいて発明を説明する。
【００１２】
図１は、この発明の四角形の対角線上に補助基礎を置いた送電線用鉄塔の一例であり、図２は、この発明の四角形の対向する辺の外側に補助基礎を置いた送電線用鉄塔の他の例であり、図３は、図２の特殊な配置関係の送電線用鉄塔である。
【００１３】
図において、１０は送電線用の鉄塔であり、塔部２０の下端の脚２１が地下に埋設された既設の基礎３０に一部が埋め込まれて支持されている。塔部２０は、アングル材などをトラス状に組み上げて構成されている。塔部２０の上方は図示省略されており、他の送電線用鉄塔との間で送電線が架け渡されている。一方、この基礎３０は、脚２１の先端一部を中に入れてコンクリートで、種々形状でよいが、ここでは変形四角錐台形状に固めて、平面視、脚２１の先端位置であって四角形Ｓの頂点位置にそれぞれほとんどが地中に設けられており、４個で鉄塔の脚２１、塔部２０を支持している。
【００１４】
この発明では、共通して四角形Ｓの外側位置に種々形状でよいが、ここでは変形四角錐台形状の補助基礎４０，５０を設け、この補助基礎４０，５０に鉄塔１０を補強する補助脚６０，７０を支持させて頑丈な送電線用鉄塔とした後、塔部２０を解体する等して嵩上げ工事を行う。
【００１５】
したがって、四角形Ｓの外側に補助基礎４０，５０を設け、そこから補助脚６０，７０で鉄塔１０を支えることになるため、既設基礎３０をいじることなく、また、障ることなく、さらに鉄塔１０の脚２１に邪魔されることなく基礎補強工事ができ、しかも仮設補強をすることなく、作業性の良い、倒れ補強の効果も素晴らしい送電線用鉄塔を提供することができる。
【００１６】
また、図１は、補助基礎４０を四角形Ｓの対角線上で基礎３０の外側位置にそれぞれ設け、そこから塔部２０に対して延びる補助脚６０で補強した送電線用鉄塔を示している。このため、上記効用に加え、補助基礎４０の位置が塔２０の中心から遠くに、しかも基礎回りをこぢんまりとバランス良く配置できるのでより一層効果的に鉄塔を支持することができる。
【００１７】
また、図２は、補助基礎５０を、四角形Ｓの少なくとも一組の対向する辺の外側位置にそれぞれ設けて、４個の基礎３０と４個の補助基礎５０とが重なることなく独立して配置され、そこから延びる補助脚７０で塔部２０を補強した送電線用鉄塔を示している。
【００１８】
したがって、上記効用に加え、補助基礎５０をそれぞれ四角形外の地形や既設埋設物を考慮して適宜位置に配置できるし、八方で支持できるので支持バランスも良い。図のように、補助基礎５０が各辺の中央に対応するときには一層バランスがよい。
【００１９】
さらに、図３は、図２で示す特別の場合で、補助基礎５０を、２個にして図示しない送電線の線路直交方向に対向する辺の外側で線路直交方向に沿った線上に設け、そこから塔部２０に向かって延ばされた補助脚７０で補強した送電線用鉄塔を示している。
【００２０】
したがって、上記効用に加え、送電線に風などの力を受けて踏ん張らなければならない送電線の線路と直交方向を効果的に補強することができる。
【００２１】
以上、図１から３に示す形態を基本構成とし、設置場所の状況、風の吹き付け方向等から適宜選択した種々の組み合わせであっても良いことは勿論である。
【図面の簡単な説明】
【図１】（Ａ）この発明の送電線用鉄塔の一実施形態を示す平面図、（Ｂ）同正面図である。
【図２】（Ａ）この発明の送電線用鉄塔の他の実施形態を示す平面図、（Ｂ）同正面図である。
【図３】（Ａ）この発明の送電線用鉄塔のさらに他の実施形態を示す平面図、（Ｂ）同正面図である。
【図４】（Ａ）従来の送電線用鉄塔の基礎部を示す平面図、（Ｂ）同正面図である。
【図５】（Ａ）従来の送電線用鉄塔の基礎部の他の例を示す平面図、（Ｂ）同正面図である。
【符号の説明】
１０・・・鉄塔
２０・・・塔部
２１・・・脚部
３０・・・基礎
４０，５０・・・補助基礎
６０，７０・・・補助脚
Ｓ・・・四角形
【図１】
2004300872.tif 000003
【図２】
2004300872.tif 000004
【図３】
2004300872.tif 000005
【図４】
2004300872.tif 000006
【図５】
2004300872.tif 000007